(57)【要約】【課題】出力先のディスプレイの画面サイズがいずれの大きさであっても、スライドショーデータを再編集することなくそのまま用いることができるようにする。【解決手段】スライドショーの内容を記述したスライドショーデータＳＤを作成する。スライドショーデータＳＤは、１または複数の画像要素情報ＰＤを備える。画像要素情報ＰＤは、「開始時刻」、「表示時間」、「位置」、「サイズ」、「画像要素の内容」、「配置の態様」の６つのデータフィールドＤＦ１〜ＤＦ６により構成される。「位置」、「サイズ」のデータフィールドＤＦ３，ＤＦ４には、画像要素をスライドショーに含まれるコマ画像に配置するための配置領域についての位置とサイズが格納される。この位置とサイズは、コマ画像のサイズに対する比率でもってそれぞれ示される構成とする。【選択図】図５
2009086948.tif 000002
【特許請求の範囲】
【請求項１】
コマ画像を順に再生させるスライドショーの内容を記述したスライドショーデータを作成するスライドショーデータ作成装置であって、
前記スライドショーに含まれる画像要素についての情報を設定する画像要素設定手段と、
前記画像要素設定手段により設定された情報に基づいて、前記スライドショーデータを生成するスライドショーデータ生成手段と
を備え、
前記画像要素設定手段は、
前記画像要素を前記コマ画像に配置するための配置領域の位置とサイズを前記コマ画像のサイズに対する比率でもってそれぞれ示す第１の情報と、前記配置領域に関連づけられる画像要素を特定する第２の情報とを少なくとも設定する構成である、スライドショーデータ作成装置。
【請求項２】
請求項１に記載のスライドショーデータ作成装置であって、
前記画像要素設定手段は、
前記配置領域内への前記画像要素の配置の態様を示す第３の情報をさらに設定する構成である、スライドショーデータ作成装置。
【請求項３】
請求項２に記載のスライドショーデータ作成装置であって、
前記第３の情報は、前記配置領域内に前記画像要素を当該画像要素のアスペクト比を維持しながら最大に表示する旨を示す情報である、スライドショーデータ作成装置。
【請求項４】
請求項２に記載のスライドショーデータ作成装置であって、
前記作業者の操作指令に従って定まる注目領域を前記画像要素内に指定する指定手段を備え、
前記第３の情報は、前記配置領域内に前記注目領域の画像を当該画像のアスペクト比を維持しながら最大に表示する旨を示す情報である、スライドショーデータ作成装置。
【請求項５】
請求項１に記載のスライドショーデータ作成装置であって、
前記画像要素設定手段は、
前記画像要素の表示を開始する時刻と表示時間とを示す第４の情報をさらに設定する構成である、スライドショーデータ作成装置。
【請求項６】
請求項１に記載のスライドショーデータ作成装置であって、
前記画像要素設定手段は、
前記配置領域についての前記第１の情報で示される位置とは別の位置を、前記コマ画像のサイズに対する比率でもって示す第５の情報と、前記第１の情報で示される位置と前記別の位置とに個別の時間をそれぞれ割り当てる第６の情報とをさらに設定する構成である、スライドショーデータ作成装置。
【請求項７】
請求項６に記載のスライドショーデータ作成装置であって、
前記第５の情報は、前記別の位置に加えて、前記第１の情報で示されるサイズとは別のサイズを、前記コマ画像のサイズに対する比率でもって示すものである、スライドショーデータ作成装置。
【請求項８】
コマ画像を順に再生させるスライドショーの内容を記述したスライドショーデータを作成するスライドショーデータ作成方法であって、
前記スライドショーに含まれる画像要素についての情報を設定し、
前記設定された情報に基づいて、前記スライドショーデータを生成するとともに、
前記画像要素についての情報の設定は、
前記画像要素を前記コマ画像に配置するための配置領域の位置とサイズを前記コマ画像のサイズに対する比率でもってそれぞれ示す第１の情報と、前記配置領域に関連づけられる画像要素を特定する第２の情報とを少なくとも設定する構成である、スライドショーデータ作成方法。
【請求項９】
コマ画像を順に再生させるスライドショーの内容を記述したスライドショーデータを作成するためのコンピュータプログラムであって、
（ａ）前記スライドショーに含まれる画像要素についての情報を設定する機能と、
（ｂ）前記機能（ａ）により設定された情報に基づいて、前記スライドショーデータを生成する機能と
をコンピュータに実現させるとともに、
前記機能（ａ）は、
前記画像要素を前記コマ画像に配置するための配置領域の位置とサイズを前記コマ画像のサイズに対する比率でもってそれぞれ示す第１の情報と、前記配置領域に関連づけられる画像要素を特定する第２の情報とを少なくとも設定する構成である、コンピュータプログラム。
【請求項１０】
請求項９に記載のコンピュータプログラムであって、
前記機能（ａ）は、
前記画像要素の表示を開始する時刻と表示時間とを示す第４の情報をさらに設定する構成である、コンピュータプログラム。
【請求項１１】
請求項９に記載のコンピュータプログラムであって、
前記機能（ａ）は、
前記配置領域についての前記第１の情報で示される位置とは別の位置を、前記コマ画像のサイズに対する比率でもって示す第５の情報と、前記第１の情報で示される位置と前記別の位置とに個別の時間をそれぞれ割り当てる第６の情報とをさらに設定する構成である、コンピュータプログラム。
【請求項１２】
請求項１１に記載のコンピュータプログラムであって、
前記第５の情報は、前記別の位置に加えて、前記第１の情報で示されるサイズとは別のサイズを、前記コマ画像のサイズに対する比率でもって示すものである、コンピュータプログラム。
【請求項１３】
請求項９ないし１２のいずれかに記載のコンピュータプログラムを記録したコンピュータ読み取り可能な記録媒体。
【発明の詳細な説明】
【技術分野】
【０００１】
本発明は、スライドショーの内容を記述したスライドショーデータを作成する技術に関する。
【背景技術】
【０００２】
近年、パーソナルコンピュータを用いて、スライドショーにより複数の画像を順に再生させることが行なわれる（例えば、特許文献１〜３）。一方、店舗等では、プロモーション用に上記スライドショーを大型のディスプレイに表示させることが行なわれる。
【０００３】
【特許文献１】特開２００５−２２７８２６号公報
【特許文献２】特開２００６−５７４２号公報
【特許文献３】特開２００７−９６６７８号公報
【０００４】
上記大型のディスプレイは、パーソナルコンピュータのディスプレイと比べて、サイズやアスペクト比（横縦比）が異なることが多い。このために、パーソナルコンピュータにより、スライドショーの内容を記述したスライドショーデータを作成した場合、そのスライドショーデータを大型のディスプレイの入力にそのまま利用することができず、スライドショーデータの内容を編集し直す必要があった。
【０００５】
というのも、スライドショー表示のためのコマ画像は、一般的には、コマ画像上のピクセル数に基づく座標値によってデザインされたものであることから、ディスプレイの画面サイズが異なると、製作者の意図するデザインとは全く違ったものとなるためである。例えば、コマ画像に含まれる画像要素がディスプレイの画面の片側に偏ったり、画面の外側にはみ出し消えてしまったりして、デザインされたものと異なったものとなった。
【発明の開示】
【発明が解決しようとする課題】
【０００６】
本発明の解決しようとする課題は、出力先のディスプレイの画面サイズがいずれの大きさであっても、スライドショーデータを再編集することなくそのまま用いることができるようにすることにある。
【課題を解決するための手段】
【０００７】
本発明は、上述の課題の少なくとも一部を解決するためになされたものであり、以下の形態又は適用例として実現することが可能である。
【０００８】
［適用例１］
コマ画像を順に再生させるスライドショーの内容を記述したスライドショーデータを作成するスライドショーデータ作成装置であって、
前記スライドショーに含まれる画像要素についての情報を設定する画像要素設定手段と、
前記画像要素設定手段により設定された情報に基づいて、前記スライドショーデータを生成するスライドショーデータ生成手段と
を備え、
前記画像要素設定手段は、
前記画像要素を前記コマ画像に配置するための配置領域の位置とサイズを前記コマ画像のサイズに対する比率でもってそれぞれ示す第１の情報と、前記配置領域に関連づけられる画像要素を特定する第２の情報とを少なくとも設定する構成である、スライドショーデータ作成装置。
【０００９】
適用例１に記載のスライドショーデータ作成装置によれば、コマ画像に含まれる画像要素を配置するための配置領域の位置とサイズをそれぞれ示す情報と、配置領域に関連付けられる画像要素を特定する情報とが設定されることにより、スライドショーに含まれるコマ画像を表すことができる。特に、前記配置領域の位置とサイズがコマ画像のサイズに対する比率でもって示されることから、再生画面のサイズが変わったとしても、画像要素は、コマ画像の全体に対する比率で表されることになる。したがって、出力先のディスプレイの画面サイズがいずれの大きさであっても、画像要素が画面の片側に偏ったり、画面の外側にはみ出し消えてしまったりすることがない。すなわち、スライドショーの内容を記述したスライドショーデータを再編集することなく種々の画面サイズに最適に再生させることができるという効果を奏する。
【００１０】
［適用例２］
適用例１に記載のスライドショーデータ作成装置であって、前記画像要素設定手段は、前記配置領域内への前記画像要素の配置の態様を示す第３の情報をさらに設定する構成である、スライドショーデータ作成装置。
【００１１】
この構成によれば、作成されたスライドショーデータには、配置領域内への画像要素の配置の態様を示す第３の情報が含まれることから、スライドショーデータの再生時に、配置領域内への画像要素の配置を定めることができる。したがって、スライドショーデータの再現性を高めることができる。
【００１２】
［適用例３］
適用例２に記載のスライドショーデータ作成装置であって、前記第３の情報は、前記配置領域内に前記画像要素を当該画像要素のアスペクト比を維持しながら最大に表示する旨を示す情報である、スライドショーデータ作成装置。
【００１３】
この構成によれば、スライドショーデータの再生時に、画像要素のアスペクト比を維持しながら画像要素を配置領域内に最大に表示することが可能となる。
【００１４】
［適用例４］
適用例２に記載のスライドショーデータ作成装置であって、前記作業者の操作指令に従って定まる注目領域を前記画像要素内に指定する指定手段を備え、前記第３の情報は、前記配置領域内に前記注目領域の画像を当該画像のアスペクト比を維持しながら最大に表示する旨を示す情報である、スライドショーデータ作成装置。
【００１５】
この構成によれば、スライドショーデータの生成時に、画像要素に設定した注目エリアを、アスペクト比を維持しながら配置領域内に最大に表示することが可能となる。
【００１６】
［適用例５］
適用例１に記載のスライドショーデータ作成装置であって、前記画像要素設定手段は、前記画像要素の表示を開始する時刻と表示時間とを示す第４の情報をさらに設定する構成である、スライドショーデータ作成装置。
【００１７】
この構成によれば、スライドショーデータにより、画像要素を所定の時刻から所定の時間だけ表示することができる。
【００１８】
［適用例６］
適用例１に記載のスライドショーデータ作成装置であって、前記画像要素設定手段は、前記配置領域についての前記第１の情報で示される位置とは別の位置を、前記コマ画像のサイズに対する比率でもって示す第５の情報と、前記第１の情報で示される位置と前記別の位置とに個別の時間をそれぞれ割り当てる第６の情報とをさらに設定する構成である、スライドショーデータ作成装置。
【００１９】
この構成によれば、割り当てられた２つの時間の間に、配置領域を第１の情報で示される位置から第２の情報で示される位置へと移動することができる。この結果、画像要素の移動を行うことができる。しかも、上記２つの位置は、コマ画像のサイズに対する比率でもって示されることから、再生画面のサイズが変わったとしても、画像要素は、コマ画像の全体に対する比率で表されることになる。したがって、出力先のディスプレイの画面サイズがいずれの大きさであっても、画像要素は意図したとおり移動し、画面の外側にはみ出し消えてしまったりすることがない。すなわち、画像要素の移動といった演出にあっても、スライドショーデータを再編集することなく種々の画面サイズに最適に適合させることができるという効果を奏する。
【００２０】
［適用例７］
適用例６に記載のスライドショーデータ作成装置であって、前記第５の情報は、前記別の位置に加えて、前記第１の情報で示されるサイズとは別のサイズを、前記コマ画像のサイズに対する比率でもって示すものである、スライドショーデータ作成装置。
【００２１】
この構成によれば、割り当てられた２つの時間の間に、配置領域を第１の情報で示される位置とサイズから第２の情報で示される位置とサイズへと変換することができる。この結果、画像要素を拡大もしくは縮小しながら移動を行うことができる。しかも、上記２組の位置とサイズは、コマ画像のサイズに対する比率でもってそれぞれ示されることから、再生画面のサイズが変わったとしても、画像要素は、コマ画像の全体に対する比率で表されることになる。したがって、出力先のディスプレイの画面サイズがいずれの大きさであっても、画像要素は意図したとおり拡大もしくは縮小しながら移動を行うことができる。すなわち、画像要素の移動、拡大・縮小といった演出にあっても、スライドショーデータを再編集することなく種々の画面サイズに最適に適合させることができるという効果を奏する。
【００２２】
［適用例８］
コマ画像を順に再生させるスライドショーの内容を記述したスライドショーデータを作成するスライドショーデータ作成方法であって、
前記スライドショーに含まれる画像要素についての情報を設定し、
前記設定された情報に基づいて、前記スライドショーデータを生成するとともに、
前記画像要素についての情報の設定は、
前記画像要素を前記コマ画像に配置するための配置領域の位置とサイズを前記コマ画像のサイズに対する比率でもってそれぞれ示す第１の情報と、前記配置領域に関連づけられる画像要素を特定する第２の情報とを少なくとも設定する構成である、スライドショーデータ作成方法。
【００２３】
［適用例９］
コマ画像を順に再生させるスライドショーの内容を記述したスライドショーデータを作成するためのコンピュータプログラムであって、
（ａ）前記スライドショーに含まれる画像要素についての情報を設定する機能と、
（ｂ）前記機能（ａ）により設定された情報に基づいて、前記スライドショーデータを生成する機能と
をコンピュータに実現させるとともに、
前記機能（ａ）は、
前記画像要素を前記コマ画像に配置するための配置領域の位置とサイズを前記コマ画像のサイズに対する比率でもってそれぞれ示す第１の情報と、前記配置領域に関連づけられる画像要素を特定する第２の情報とを少なくとも設定する構成である、コンピュータプログラム。
【００２４】
適用例８に記載のスライドショーデータ作成方法および適用例９に記載のコンピュータプログラムによっても、適用例１に記載のスライドショーデータ作成装置と同様に、スライドショーデータを再編集することなく種々の画面サイズに最適に再生させることができるという効果を奏する。
【００２５】
この発明の記録媒体は、この発明のコンピュータプログラムを記録したコンピュータ読み取り可能な記録媒体を特徴としている。この記録媒体は、この発明のコンピュータプログラムと同様な作用・効果を有している。
【００２６】
本発明は、以下のような他の態様も含んでいる。その態様は、この発明のコンピュータプログラムを通信経路を介して供給するプログラム供給装置としての態様である。この態様では、コンピュータプログラムをコンピュータネットワーク上のサーバなどに置き、通信経路を介して、必要なプログラムをコンピュータにダウンロードし、これを実行することで、上記の方法や装置を実現することができる。
【発明を実施するための最良の形態】
【００２７】
本発明を実施するための最良の形態を実施例に基づき説明する。この実施例を、次の順序に従って説明する。
Ｉ．第１実施例：
Ａ．装置の構成：
Ｂ．コンピュータ処理：
Ｂ−１：スライドショーデータの作成：
Ｂ−２：スライドショーの再生：
Ｃ．作用・効果：
Ｄ．変形例：
II．第２実施例：
III．第３実施例：
IV．他の実施形態：
【００２８】
Ｉ．第１実施例：
Ａ．装置の構成：
図１は、本発明の第１実施例を適用するコンピュータシステムの概略構成を示す説明図である。この実施例のコンピュータシステムは、本発明のスライドショーデータ作成装置を構成するパーソナルコンピュータ１０を中心に備え、その周辺装置として、ディスプレイ２０とキーボード２２とマウス２４を備える。さらに、パーソナルコンピュータ１０には、ＤＶＤドライブ２８が接続されている。
【００２９】
パーソナルコンピュータ１０は、中央演算処理装置としてのＣＰＵ１１を中心にバス１２により相互に接続されたメモリ１３、ハードディスクドライブ１４、表示制御ユニット１５、入力制御ユニット１６、ディスク制御ユニット１７等を備える。メモリ１３は、各種データ等を記憶するもので、ＣＰＵ１１の作業領域となる。ハードディスクドライブ１４は、スライドショーデータ作成装置のソフトウェアとしてのコンピュータプログラムＰｒを記憶する。また、ハードディスクドライブ１４には、スライドショーに利用可能な画像素材を示す画像素材データＤｍが、多数、格納される。画像素材としては、文字、記号、静止画像、動画像等がある。ここで、スライドショーとは、複数のコマ画像を順に再生させる処理である。
【００３０】
表示制御ユニット１５は、ディスプレイ２０への信号出力を制御する制御ユニットである。入力制御ユニット１６は、キーボード２２やマウス２４から入力操作を取り込む制御ユニットである。ディスク制御ユニット１７は、ＤＶＤドライブ２８への読み書きを行う制御ユニットである。
【００３１】
コンピュータプログラムＰｒは、もともとは、記録媒体としてのＣＤ−ＲＯＭ（図示せず）に記憶されており、所定のインストールプログラムを起動することで、そのＣＤ−ＲＯＭからハードディスクドライブ１４にインストールされたものである。このコンピュータプログラムＰｒをＣＰＵ１１が実行することにより、本発明のスライドショーデータ作成装置の各種構成要件は実現される。
【００３２】
図１では、各種構成要件が、ＣＰＵ１１の内部で実現される機能のブロックによって示されている。すなわち、ＣＰＵ１１は、画像要素設定部Ｍ１とスライドショーデータ生成部Ｍ２とを機能として備える。
【００３３】
このコンピュータプログラムＰｒは、スライドショーの内容を記述したスライドショーデータを作成するアプリケーションプログラムであり、その中の一部のモジュールによって、上述した各部Ｍ１，Ｍ２の機能をパーソナルコンピュータ１０に実現させる。
【００３４】
なお、コンピュータプログラムＰｒは、ＣＤ−ＲＯＭに替えて、フレキシブルディスク、光磁気ディスク、ＩＣカード等の他の携帯型記録媒体（可搬型記録媒体）に格納された構成として、これらから提供されたものとすることができる。また、このコンピュータプログラムＰｒは、外部のネットワークに接続される特定のサーバから、ネットワークを介して提供されたものとすることもできる。上記ネットワークとしては、インターネットであってもよく、特定のホームページからダウンロードして得たコンピュータプログラムであってもよい。あるいは、電子メールの添付ファイルの形態で供給されたコンピュータプログラムであってもよい。
【００３５】
Ｂ．コンピュータ処理：
Ｂ−１：スライドショーデータの作成：
【００３６】
図２は、ＣＰＵ１１にて実行されるスライドショーデータ作成処理を示すフローチャートである。このスライドショーデータ作成処理は、前述したコンピュータプログラムＰｒに従うものである。図示するように、処理が開始されると、ＣＰＵ１１は、まず、初期設定を行う（ステップＳ１１０）。ここでいう初期設定とは、スライドショーの再生サイズ（再生画面のサイズ）、すなわちスライドショーによって再生されるコマ画像の横方向のサイズＡｘと縦方向のサイズＡｙを予め定めるものである。ここでは、Ａｘ＝６４０ピクセル、Ａｙ＝４８０ピクセルであると定める。なお、この値は一例であり、必ずしもこの値に限る必要はなく、他の値と予め定めることもできる。また、再生サイズのアスペクト比（横縦比）も４：３に限る必要もなく、他の値に変えることもできる。
【００３７】
次いで、ＣＰＵ１１は、スライドショーを構成する一の画像要素を、ハードディスクドライブ１４に格納された画像素材データＤｍの中から選択する処理を行う（ステップＳ１２０）。詳細には、作業者が、マウス２４やキーボード２２を操作し  画像素材データＤｍが格納されているホルダの中から一の画像素材データＤｍを指定することで、その指定された画像素材データＤｍが画像要素であるとＣＰＵ１１により定められる。
【００３８】
その後、ＣＰＵ１１は、ステップＳ１２０により指定された画像要素に対して演出を設定する処理を行う（ステップＳ１３０）。ここでいう演出とは、スライドショーにおける画像要素の位置、移動方法、ズームなどの視覚的な演出効果である。なお、視覚的な演出効果以外にも音響的な演出効果も考えられるが、本発明には直接関係しないものであることから、ここでは、視覚的な演出効果だけが設定されるものとする。
【００３９】
なお、本実施例では、上記演出として、画像要素を再生画面上の所定の位置に、所定の時刻から所定の時間だけ表示することが設定されるものとして、以下説明する。
【００４０】
図３は、ステップＳ１３０で実行される演出設定の処理を詳細に示すフローチャートである。図示するように、処理が開始されると、ＣＰＵ１１は、まず、ステップＳ１２０で選択された画像要素を再生させる開始時刻と表示時間を入力する処理を行う（ステップＳ１３１）。詳細には、作業者からの指示を受けて、開始時刻と表示時間を入力する。例えば、作業者にキーボード２２を操作させて、開始時刻と表示時間を示す数値を入力する構成としてもよいし、スライドショーのタイムラインを表す時間軸を画面に表示して、マウス操作により時間軸上の所望の位置を指定する構成としてもよい。あるいは、上記タイムラインを表す時間軸上の所望の位置に所望の画像素材データＤｍをドラッグ＆ドロップする操作を受けて、ステップＳ１２０の処理とステップＳ１３１の処理を併せて行う構成としてもよい。すなわち、ステップＳ１３１の処理は、開始時刻と表示時間を入力可能な構成であれば、いずれの構成にも換えることができる。
【００４１】
次いで、ＣＰＵ１１は、ステップＳ１２０で選択された画像要素をコマ画像に配置するための配置領域の位置とサイズを入力する処理を行う（ステップＳ１３２）。
【００４２】
図４は、ディスプレイ２０に表示される配置領域設定用のダイアログボックスＤＢ１の一例を示す説明図である。このダイアログボックスＤＢ１は、ＧＵＩ（グラフィカル・ユーザ・インタフェース）を構成している。図示するように、ダイアログボックスＤＢ１には、ステップＳ１１０の初期設定により定められた再生サイズの再生領域ＰＦを表示する表示エリアＣ１と、配置領域指定用の入力エリアＣ２とが設けられている。入力エリアＣ２は、配置領域の水平位置（横方向位置）と垂直位置（縦方向位置）を入力するためのフィールドｆｄ１，ｆｄ２と、配置領域の幅（横方向サイズ）と高さ（縦方向サイズ）を入力するためのフィールドｆｄ３，ｆｄ４とを備える。各フィールドｆｄ１〜ｆｄ４の数値の単位はピクセル数となっている。
【００４３】
作業者は、表示エリアＣ１に表示された再生領域ＰＦ内で、マウス２４の左ボタンをクリックすると、再生領域ＰＦ内に１点を指定することができ、そのままマウス２４をドラッグすることにより、矩形の枠Ｒを描画することができる。この枠Ｒで示される領域が、配置領域として設定される。作業者は、上記のマウス操作により、再生サイズの再生領域ＰＦ内に、所望の位置、サイズの配置領域を設定することができる。なお、こうして指定された枠Ｒの位置、サイズは、ピクセル数を単位とする数値としてフィールドｆｄ１，ｆｄ２，ｆｄ３，ｆｄ４に表示されるが、作業者は、各フィールドｆｄ１〜ｆｄ４にキーボード２２を用いて数値を直接入力することによっても、配置領域を設定することができる。
【００４４】
なお、スライドショーの再生時には、上記設定された配置領域には、ステップＳ１３０で設定された画像要素が関連づけられて表示されることになることから、図示するように、このダイアログボックスＤＢ１においても、矩形の枠Ｒ内にステップＳの１３０で選択された画像要素Ｑが表示される構成としてもよい。
【００４５】
図３に戻って、ステップＳ１３２の実行後、ＣＰＵ１１は、ステップＳ１３２の処理で得られた配置領域の位置とサイズ（ピクセル数を単位とする位置とサイズ）を、ステップＳ１１０で初期設定された再生サイズに対する比率でもって示す値に換算する処理を行う（ステップＳ１３３）。すなわち、配置領域の横方向位置は、再生領域の横方向サイズに対する比率でもって示す値に換算され、配置領域の縦方向位置は、再生領域の縦方向サイズに対する比率でもって示す値に換算され、配置領域の横方向サイズは、再生領域の横方向サイズに対する比率でもって示す値に換算され、配置領域の縦方向サイズは、再生領域の縦方向サイズに対する比率でもって示す値に換算される。
【００４６】
例えば、ステップＳ１３２の処理で得られた配置領域の位置とサイズが図４に示した以下の通りの値であるとする。
【００４７】
配置領域の横方向位置：ｘ０＝１２８ピクセル    …（１）
配置領域の縦方向位置：ｙ０＝１２０ピクセル    …（２）
配置領域の横方向サイズ：Ｓｘ＝１２８ピクセル  …（３）
配置領域の縦方向位置：Ｓｙ＝２１６ピクセル    …（４）
【００４８】
再生サイズは、前述したように、横方向のサイズＡｘ＝６４０ピクセル、縦方向のサイズＡｙ＝４８０ピクセルであることから、上記（１）〜（４）に示される数値は、以下の（ｉ）〜（iv）の数値となる。
【００４９】
配置領域の横方向位置：ｘ０*＝１２８／６４０＝２０％      …（ｉ）
配置領域の縦方向位置：ｙ０*＝１２０／４８０＝２５％      …（ii）
配置領域の横方向サイズ：Ｓｘ*＝１２８／６４０＝２０％    …（iii）
配置領域の縦方向サイズ：Ｓｙ*＝２１６／４８０＝４５％    …（iv）
【００５０】
その後、ＣＰＵ１１は、ステップＳ１２０で選択された画像要素と、ステップＳ１３１で入力された開始時刻および表示時間と、ステップＳ１３３で得られた配置領域の位置ｘ０*，ｙ０*とサイズＳｘ*，Ｓｙ*０とを組にして画像要素情報としてメモリ１３に記憶する処理を行う（ステップＳ１３４）。
【００５１】
ステップＳ１３４の実行後、「リターン」に抜けてこの演出の設定のルーチンを一旦抜ける。この演出の設定のルーチンを抜けると、ＣＰＵ１１は、図２のステップＳ１４０に処理を進める。ステップＳ１４０では、次の画像要素についての入力が作業者によりなされるか否かを判定し、ここで、入力があると判定された場合には、ステップＳ１２０に処理を戻して、新たな画像要素についてのステップＳ１２０およびステップＳ１３０の処理を実行する。
【００５２】
一方、ステップＳ１４０で次の画像要素の入力がないと判定された場合には、ステップＳ１５０に処理を進めて、ステップＳ１３４で記憶した画像要素毎の画像要素情報に基づいてスライドショーデータを生成する処理を行う。すなわち、ステップＳ１３４でメモリ１３に記憶した画像要素毎の画像要素情報を集めてスライドショーデータＳＤを生成する。こうして作成されたスライドショーデータＳＤは、ハードディスクドライブ１４に格納される。
【００５３】
図５は、ステップＳ１５０により生成されるスライドショーデータＳＤのデータ構造を示す説明図である。図示するように、スライドショーデータＳＤは、１または複数の画像要素情報ＰＤを備える。画像要素情報ＰＤは、「開始時刻」、「表示時間」、「位置」、「サイズ」、「画像要素の内容」、「配置の態様」の６つのデータフィールドＤＦ１〜ＤＦ６により構成される。
【００５４】
「開始時刻」、「表示時間」のデータフィールドＤＦ１，ＤＦ２には、ステップＳ１３１で入力された開始時刻と表示時間が格納される。この開始時刻と表示時間が、本発明の「第４の情報」に相当する。
【００５５】
「位置」、「サイズ」のデータフィールドＤＦ３，ＤＦ４には、ステップＳ１３３で得られた換算後の配置領域の位置ｘ０*，ｙ０*とサイズＳｘ*，Ｓｙ*０とが格納される。この換算後の配置領域の位置とサイズが、本発明の「第１の情報」に相当する。
【００５６】
「画像要素の内容」のデータフィールドＤＦ５には、ステップＳ１２０で選択された画像要素を特定する情報、例えば画像素材データＤｍのファイル名が格納される。この情報が本発明の「第２の情報」に相当する。なお、第２の情報は、ファイル名に限る必要もなく、画像要素を特定できる情報であればいずれの情報とすることもできる。例えば、画像要素を示す画像データそのものとすることもできる。
【００５７】
「配置の態様」のデータフィールドＤＦ６には、配置領域内に画像要素をどのような態様で配置するかを示す情報が格納される。この情報が本発明の「第３の情報」に相当し、詳細については後述する。
【００５８】
ステップＳ１５０によりスライドショーデータの作成が完了すると、このスライドショーデータ作成処理を終了する。なお、このスライドショーデータ作成処理におけるステップＳ１２０，Ｓ１３２〜Ｓ１３４が、画像要素設定部Ｍ１（図１）に対応し、ステップＳ１５０が、スライドショーデータ生成部Ｍ２（図１）に対応する。
【００５９】
Ｂ−２：スライドショーの再生：
以上のようにして作成したスライドショーデータＳＤに基づいてスライドショーを再生することができる。次に、スライドショー再生処理について説明する。
【００６０】
図６は、ディスプレイ２０に表示されるスライドショー再生用のダイアログボックスＤＢ２を示す説明図である。このダイアログボックスＤＢ２は、ＧＵＩ（グラフィカル・ユーザ・インタフェース）を構成している。図示するように、ダイアログボックスＤＢ２には、メニューフィールドＦＬ１と、作業フィールドＦＬ２とが設けられている。
【００６１】
メニューフィールドＦＬ１には、「入力」、「再生サイズ選択」、「作成」の３種類のボタンＢＴ１、ＢＴ２、ＢＴ３が設けられており、作業者によって指示可能となっている。「入力」のボタンＢＴ１は、スライドショーデータを指定して読み込むためのものである。このボタンＢＴ１がクリックされると、新たなダイアログボックスが開いて、ハードディスクドライブ１４の中からスライドショーデータＳＤを指定することができる。
【００６２】
「再生サイズ選択」のボタンＢＴ２は、スライドショーの再生画面のアスペクト比を指定するためのものである。このボタンＢＴ２クリックされると、図示するようにプルダウンメニューＭＮが開いて、予め用意された複数のアスペクト比の中からクリック操作により指定が可能となる。図示では、ノーマル（アスペクト比＝４：３）、ワイド横（アスペクト比＝１６：９）、ワイド縦（アスペクト比＝９：１６）が用意されているが、これは一例であり、他の種類のアスペクト比を用意したものであってもよい。
【００６３】
作業フィールドＦＬ２には、スライドショーを再生するためのスライドショー再生エリアＰＬが設けられている。このスライドショー再生エリアＰＬは、「再生サイズ選択」のボタンＢＴ２で指定されたアスペクト比と同じ横縦比となっており、図示の例では、ノーマル（４：３）となっている。ワイド横（１６：９）が指定された場合には、図中の破線のようにスライドショー再生エリアＰＬは変わる。作業者により、「入力」のボタンＢＴ１がクリックされて、所望のスライドショーデータＳＤが指定されると、そのスライドショーデータＳＤに従ってスライドショーの映像ファイルが生成されてメモリ１３に一旦格納される。作業者は、スライドショー再生エリアＰＬの下にある再生スイッチＳＷをマウス２４により操作することにより、そのスライドショーの映像ファイルを、スライドショー再生エリアＰＬで再生（表示）することができる。
【００６４】
図７は、前述したスライドショーデータ作成処理で作成したスライドショーデータＳＤを、ワイド横（１６：９）の画面サイズで表示したときに、再生画像がどのように変化するかを示す説明図である。図中の（ａ）は、スライドショーデータＳＤで示されるスライドショーの一コマを示すものである。この一コマのコマ画像Ｄ１のサイズは、ステップＳ１１０の初期設定によりセットされた横方向のサイズＡｘ＝６４０ピクセル、縦方向のサイズＡｙ＝４８０ピクセルであり、アスペクト比は４：３となっている。
【００６５】
コマ画像Ｄ１には、配置領域Ｐ１が設けられており、この配置領域Ｐ１に関連づけられる（同一の画像要素情報ＰＤ内に組となる）画像要素の内容がその配置領域Ｐ１内に配置（表示）される。配置領域Ｐ１の位置およびサイズは、上述した（ｉ）〜（iv）に示した値となっている。
【００６６】
上記スライドショーデータＳＤを、ワイド横（１６：９）のタイプのディスプレイに表示する場合を考えてみる。図中の（ｂ）が、ワイド横（１６：９）のタイプのディスプレイに表示した結果である。再生領域Ｄ２は、１６：９のアスペクト比となっている。スライドショーデータＳＤは前述したように、配置領域Ｐ１の位置およびサイズを画面サイズに対する比率でもってそれぞれ示していることから、図中の（ｂ）に示すように、配置領域Ｐ１′の横方向位置Ｘ１は再生領域Ｄ２の横方向サイズＡｘに対する２０％の位置となり、配置領域Ｐ１′の縦方向位置Ｙ１は再生領域Ｄ２の縦方向サイズＡｙに対する２５％の位置となり、配置領域Ｐ１′の横方向サイズＳ１は再生領域Ｄ２の横方向サイズＡｘに対する２０％の位置となり、配置領域Ｐ１′の縦方向サイズＳ２は再生領域Ｄ２の縦方向サイズＡｙに対する４５％の位置となる。
【００６７】
図中（ａ）のコマ画像Ｄ１のアスペクト比と図中（ｂ）の再生領域Ｄ２のアスペクト比とが相違することから、配置領域Ｐ１′のサイズＳ１，Ｓ２を、再生領域Ｄ２の横方向サイズＡｘ、縦方向サイズＡｙに対する割合とすると、再生領域Ｄ２に表示される配置領域Ｐ１′のアスペクト比は、コマ画像Ｄ１に表示されるアスペクト比と一致しないものとなってしまう。そこで、本実施例では、配置領域Ｐ１′に配置される画像要素Ｑは、自身のアスペクト比を維持しながら、配置領域Ｐ１′内で最大となる大きさに表示される。
【００６８】
上記最大に表示する方法としては、再生領域Ｄ２に表示される配置領域Ｐ１′のアスペクト比と、配置領域Ｐ１′に配置される画像要素、すなわち、もともとの配置領域Ｐ１のアスペクト比とからそれぞれの長辺方向・短辺方向を判断し、最適に表示されるようにしている。すなわち、４：３のアスペクト比をもとにして作成されたスライドショーデータの配置領域Ｐ１のアスペクト比は、４×２０％：３×４５％＝０．８：１．３５＝１：１．６８７５である。これに対して、再生領域Ｄ２に表示される配置領域Ｐ１′のアスペクト比は、１６×２０％：９×４５％＝３．０２：４．０５＝１：１．２６５６となる。
【００６９】
両者のアスペクト比を比較すると、もともとの配置領域Ｐ１のアスペクト比、すなわち、配置領域Ｐ１′に配置される画像要素Ｑの方が縦長であることがわかる。画像要素の長辺は高さ方向になるので、画像要素の高さを配置領域Ｐ１′の高さに合わせるように表示すれば、配置領域Ｐ１′内に画像要素Ｑの全体が表示されることになる。
【００７０】
図８は、スライドショーデータ作成処理で作成したスライドショーデータＳＤを、ワイド縦（９：１６）の画面サイズで表示したときに、再生画像がどのように変化するかを示す説明図である。図示するように、ワイド縦の再生領域Ｄ３は９：１６のアスペクト比となっている。スライドショーデータＳＤは前述したように、配置領域Ｐ１の位置およびサイズを画面サイズに対する比率でもってそれぞれ示していることから、配置領域Ｐ１′′は図示の通りの縦長のものとなる。この配置領域Ｐ１′′のアスペクト比は、９×２０％１６×４５％＝１．８：７．２＝１：４となり、もともとの配置領域Ｐ１のアスペクト比（１：１．６８７５）、すなわち、配置領域Ｐ１′′に配置される画像要素Ｑのアスペクト比と比べてみても、縦長であることがわかる。したがって、画像要素Ｑの短編方向である幅を配置領域Ｐ１′′の幅に合わせるように表示すれば、配置領域Ｐ１′′内に画像要素Ｑの全体が表示されることになる。
【００７１】
以上のように本実施例では、配置領域Ｐ１′に配置される画像要素の画像データＤｐは、その画像データＤｐのアスペクト比を維持しながら、配置領域Ｐ１′内で最大となる大きさでもって配置される。この配置の態様はスライドショーデータＳＤに記憶されている。すなわち、スライドショーデータＳＤの各画像要素情報ＰＤに備えられた「配置の態様」のデータフィールドＤＦ６に、上記のようなアスペクト比を維持しながら最大とする表示を行う旨が記載されている。換言すれば、スライドショーデータＳＤに上記のような配置の態様を格納することで、スライドショーデータＳＤの再生時には、画像要素をアスペクト比を維持しながら最大とする表示を行うことができる。
【００７２】
Ｃ．作用・効果：
以上のように構成された第１実施例のコンピュータシステムによれば、画像要素の配置領域の位置とサイズを示す情報と、配置領域に関連付けられる画像要素を特定する情報とが画像要素情報ＰＤとして設定されることにより、スライドショーに含まれるコマ画像を表すことができる。特に、配置領域の位置とサイズがコマ画像のサイズに対する比率でもって示されることから、再生画面のサイズが変わったとしても、画像要素は、コマ画像の全体に対する比率で表されることになる。したがって、本実施例で作成したスライドショーデータを用いて他のディスプレイで再生するような場合に、そのディスプレイの画面サイズがいずれの大きさであっても、画像要素が画面の片側に偏ったり、画面の外側にはみ出し消えてしまったりすることがない。すなわち、スライドショーの内容を記述したスライドショーデータを再編集することなく種々の画面サイズに最適に再生させることができるという効果を奏する。
【００７３】
Ｄ．変形例：
前記第１実施例において、注目エリア設定の機能をさらに付加した構成としてもよい。すなわち、スライドショーに含まれる画像要素において、人物や物などの、特に強調したい個所を注目エリア（注目領域）として操作者が自由に指定できる構成としてもよい。この構成について、次に詳細に説明する。
【００７４】
第１実施例においては、スライドショーデータＳＤを作成するにあたり、スライドショーに用いる画像要素を選択する処理を行っていた（ステップＳ１２０）。この選択時に、画像要素に対して注目エリアを指定するようにしている。
【００７５】
図９は、注目エリア指定用のダイアログボックスＤＢ３の一例を示す説明図である。このダイアログボックスＤＢ３は、図４に示した配置領域設定用のダイアログボックスＤＢ１と同じＧＵＩを構成している。表示エリアＣ３に画像要素としての画像素材データＤｍを表示し、画像素材データＤｍ上の任意の位置に任意のサイズの矩形Ｒ３を作業者による操作に従って指定される。この矩形Ｒ３が注目エリアとなる。これにより、画像要素上における注目エリアの位置とサイズがピクセル数に基づいて定められる。
【００７６】
注目エリアＰＡが指定されると、スライドショーデータ作成処理においては、スライドショーデータＳＤに備える「配置の態様」のデータフィールドＤＦ６に、上記指定された注目エリアＰＡを強調表示する旨の情報が格納されることになる。詳細には、上記注目エリアの位置とサイズの情報とともに、下記で説明する強調表示を行う旨が「配置の態様」のデータフィールドＤＦ６に格納される。
【００７７】
図１０は、この変形例で作成されたスライドショーデータをワイド横（１６：９）のタイプのディスプレイに表示した結果を示す説明図である。再生領域Ｄ４および配置領域Ｐ１Ｚは、図７の（ｂ）に示した再生領域Ｄ２と配置領域Ｐ１′と同一である。この変形例では、配置領域Ｐ１Ｚ内に、図９に示した注目エリアとして指定した箇所ＲＡが最大となって表示され、かつ、その上で、画像要素Ｑの全体ができるだけ多く含むように表示される。
【００７８】
具体的には、図７の（ｂ）を用いて説明した画像要素を配置領域内で最大に表示する方法と同様に行う。その際に、注目エリアＰＡ内の画像だけを表示するのではなく、その注目エリアＰＡの周囲画像についても配置領域Ｐ１Ｚいっぱいに表示するように構成する。
【００７９】
この変形例によれば、注目エリアとして指定した箇所を拡大することで強調して表示することができるという効果を奏する。第１実施例においては、配置領域に画像要素の全体が表示されるように構成されていることから、例えば配置領域が横長であるときに縦長の画像要素を表示すると、配置領域のうち横方向において中央付近しか使われず、左右には何も表示されず、画像要素は画面に対して相対的に小さな画像となった。このために画像要素がはっきりしない場合があった。これに対して、この変形例によれば、注目エリアＰ２として指定した箇所を拡大することで強調して表示することができる。
【００８０】
II．第２実施例：
本発明の第２実施例を次に説明する。この第２実施例は第１実施例と比較して、スライドショーデータで記述するスライドショーの内容が異なったものとなっている。すなわち、第１実施例では、画像要素を再生画面上の所定の位置に所定の時刻から所定の時間だけ表示するという演出であったが、これに換えて、第２実施例では、所定の時刻から所定の時間、画像要素を移動させる演出を行う。
【００８１】
図１１は、第２実施例におけるスライドショーの演出内容を説明するための説明図である。図示するように、この第２実施例では、画像要素を配置する配置領域のサイズを所定のサイズとした上で、所定の時刻から所定の時間、画像要素を開始点ｕの位置から終了点ｖの位置まで移動するという演出を行う。なお、図中における各数値は一例であり、この例を用いて以下の説明を行う。開始点Ｕにおける画像要素の位置とサイズ（実際は配置領域の位置とサイズ）は、第１実施例で例示した画像要素の配置領域の位置とサイズと同じ数値となっており、本実施例は、第１実施例で表示した画像要素を右方向に画面外まで移動するという演出を行っている。
【００８２】
図１２は、第２実施例において作成されるスライドショーデータＳＤＸのデータ構造を示す説明図である。図示するように、スライドショーデータＳＤＸは、１または複数の画像要素情報ＰＤＸを備える。画像要素情報ＰＤＸは、第１実施例と同じ「開始時刻」、「表示時間」、「位置」、「サイズ」、「画像要素の内容」、「配置の態様」の６つのデータフィールドＤＦ１〜ＤＦ６に加えて、「終了点の位置」のデータフィールドＤＦ１１を備える。
【００８３】
「位置」のデータフィールドＤＦ３には、開始点ｕにおける配置領域の位置が格納されるが、これに対して、「終了点の位置」のデータフィールドＤＦ１１には、終了点ｖにおける配置領域の位置が格納される。この終了点ｖにおける配置領域の位置は、作業者によるキーボード２２またはマウス２４の操作に従って入力されたピクセル単位の数値を、再生サイズに対する比率でもって示す値に換算したものである。すなわち、終了点ｖにおける配置領域の横方向位置は、再生領域の横方向サイズに対する比率でもって示す値に換算され、終了点ｖにおける配置領域の縦方向位置は、再生領域の縦方向サイズに対する比率でもって示す値に換算される。上記位置の入力の手法は、例えば、数値をキーボード２２により直接入力する構成としてもよいし、ＧＵＩに従うマウス２４の操作により入力する構成としてもよい。
【００８４】
なお、上記終了点ｖにおける配置領域の位置は、本発明の「第５の情報」に相当する。本実施例における「開始時刻」、「表示時間」のデータフィールドＤＦ１，ＤＦ２に格納される開始時刻と表示時間は、開始時刻と終了時刻を定めるものであることから、開始点ｕの位置と終了点ｖの位置とに個別の時間を割り当てている。このため、開始時刻と表示時間は、本発明の「第６の情報」に相当する。
【００８５】
図１３は、スライドショーデータＳＤＸを異なる種類の画面サイズで表示したときの再生画像の変化を示す説明図である。図中の（ａ）がノーマル（アスペクト比＝４：３）の画面サイズで表示したときのものであり、図中の（ｂ）がワイド横（アスペクト比＝１６：９）の画面サイズで表示したときのものである。図示の例示は、図１１における各数値でもってスライドショーデータＳＤＸが作成された場合のものである。
【００８６】
本実施例で作成されるスライドショーデータＳＤＸは、配置領域のサイズと、配置領域の開始点ｕと終了点Ｖの各位置が指定され、さらに表示開始時刻と表示時間が指定されていることから、この期間におけるある時刻の位置は、その時刻の表示時間に対する割合を使って開始点の位置と終了点の位置を按分することで求めることができる。例えば、時刻６秒の横方向位置を計算する場合を考える。表示時間は４秒（時刻５秒からの６秒、７秒、８秒、９秒という４秒間）であることから１秒間の割合は２５％となるので、終了点ｖのX横方向位置１００％から開始点ｕの横方向位置２０％を差し引いた移動割合は８０％となり、その８０％の２５％分、すなわち２０％が１秒間の割合分となる。したがって、２０％を開始点ｕの横方向位置２０％に加えた値（＝４０％）が時刻６秒の横方向位置となる。
【００８７】
上記の処理を時間に対して連続的に行うことで、画像要素が移動する動画を作成することができる。なお、上記の時刻６秒の横方向位置は、図１３中の（ａ）においても（ｂ）においても同じ横方向位置である。したがって、画像要素が時間経過に伴って横方向に移動する距離は、ノーマル、ワイド横といった画面サイズに関わらず同じである。なお、図１３においては、説明の便宜のために１秒間で１コマとして説明したが、実際には１秒間に３０コマ程度割り当てられている。
【００８８】
以上のように構成された第２実施例によれば、開始時刻から表示時間の間に、画像要素が配置される配置領域を開始点ｕの位置から終了点ｖの位置へと移動することができる。この結果、画像要素の移動を行うことができる。しかも、開始点ｕの位置および終了点ｖの位置は、コマ画像のサイズに対する比率でもって示されることから、再生画面のサイズが変わったとしても、画像要素は、コマ画像の全体に対する比率で表されることになる。したがって、図１３の（ａ）、（ｂ）に示すように、出力先のディスプレイの画面サイズがいずれの大きさであっても、画像要素は意図したとおり移動し、意図したよりも短い距離で表示が終わったりすることがない。すなわち、画像要素の移動といった演出にあっても、スライドショーデータを再編集することなく種々の画面サイズに最適に適合させることができるという効果を奏する。
【００８９】
III．第３実施例：
本発明の第３実施例を次に説明する。この第２実施例は第１実施例と比較して、スライドショーデータで記述するスライドショーの内容が異なったものとなっている。すなわち、第２実施例では、所定の時刻から所定の時間の間に、画像要素を開始点ｕの位置から終了点ｖの位置まで移動させるという演出であったが、これに換えて、第３実施例では、さらに、配置領域のサイズについても開始点ｕと終了点ｖとで変化させる演出を行う。
【００９０】
図１４は、第３実施例におけるスライドショーの演出内容を説明するための説明図である。図示するように、この第４実施例では、所定の時刻から所定の時間の間に、配置領域Ｐ１を開始点ｕから終了点ｖまで配置領域Ｐ１のサイズを変更しながら（拡大しながら）移動する演出を行う。すなわち、開始点ｕにおける所定の位置およびサイズから、終了点ｖにおける所定の位置およびサイズまで変化させる演出を行う。
【００９１】
図１５は、第３実施例において作成されるスライドショーデータＳＤＹのデータ構造を示す説明図である。図示するように、スライドショーデータＳＤＹは、１または複数の画像要素情報ＰＤＹを備える。画像要素情報ＰＤＹは、第２実施例と同じ「開始時刻」、「表示時間」、「位置」、「サイズ」、「終了点の位置」、「画像要素の内容」、「配置の態様」の６つのデータフィールドＤＦ１〜ＤＦ４，ＤＦ１１，ＤＦ５，ＤＦ６に加えて、「（終了点についての）サイズ」のデータフィールドＤＦ２１を備える。
【００９２】
「サイズ」のデータフィールドＤＦ４には、開始点ｕにおける配置領域のサイズが格納され、「（終了点についての）サイズ」のデータフィールドＤＦ２１には、終了点ｖにおける配置領域のサイズが格納される。この終了点ｖにおける配置領域のサイズも、開始点ｕにおける配置領域のサイズと同様、作業者によるキーボード２２またはマウス２４の操作に従って入力されたピクセル単位の数値を、再生サイズに対する比率でもって示す値に換算したものである。すなわち、終了点ｖにおける配置領域の横方向サイズは、再生領域の横方向サイズに対する比率でもって示す値に換算され、終了点ｖにおける配置領域の縦方向サイズは、再生領域の縦方向サイズに対する比率でもって示す値に換算される。上記サイズの入力の手法は、例えば、数値をキーボード２２により直接入力する構成としてもよいし、ＧＵＩに従うマウス２４の操作により入力する構成としてもよい。
【００９３】
図１６は、スライドショーデータＳＤＹをワイド横（アスペクト比＝１６：９）の画面サイズで表示したときの再生画像の変化を示す説明図である。図示の例示は、図１４における各数値でもってスライドショーデータＳＤＹが作成された場合のものである。
【００９４】
本実施例で作成されるスライドショーデータＳＤＹは、開始点ｕにおける配置領域の位置およびサイズと、終了点Ｖにおける配置領域の位置およびサイズが指定され、さらに表示開始時刻と表示時間が指定されていることから、この期間におけるある時刻の位置は、その時刻の表示時間に対する割合を使って開始点の位置およびサイズと終了点の位置及びサイズを按分することで求めることができる。例えば、時刻６秒の横方向位置を計算する場合を考える。表示時間は４秒であることから１秒間の割合は２５％となるので、終了点ｖの横方向位置７０％から開始点ｕの横方向位置１０％を差し引いた移動割合は６０％となり、その６０％の２５％分、すなわち１５％が１秒間の割合分となる。したがって、１５％を開始点ｕの横方向位置１０％に加えた値（＝２５％）が時刻６秒の横方向位置となる。このように、画像要素が時間経過に伴って移動しながら拡大される。なお、図１３においては、説明の便宜のために１秒間で１コマとして説明したが、実際には１秒間に３０コマ程度割り当てられている。
【００９５】
上記の処理を時間に対して連続的に行うことで、画像要素が拡大しながら移動する動画を作成することができる。
【００９６】
以上のように構成された第３実施例によれば、開始時刻から表示時間の間に、画像要素が配置される配置領域を開始点ｕの位置とサイズから終了点ｖの位置とサイズへと変換することができる。この結果、画像要素を拡大もしくは縮小しながら移動を行うことができる。しかも、開始点ｕの位置とサイズおよび終了点ｖの位置とサイズは、コマ画像のサイズに対する比率でもってそれぞれ示されることから、再生画面のサイズが変わったとしても、画像要素は、コマ画像の全体に対する比率で表されることになる。したがって、出力先のディスプレイの画面サイズがいずれの大きさであっても、画像要素は意図したとおり拡大もしくは縮小しながら移動を行うことができる。すなわち、画像要素の移動、拡大・縮小といった演出にあっても、スライドショーデータを再編集することなく種々の画面サイズに最適に適合させることができるという効果を奏する。
【００９７】
IV．他の実施形態：
本発明は上記の実施例や実施形態に限られるものではなく、本発明の要旨を逸脱しない範囲において種々なる態様にて実施することが可能であり、例えば次のような変形も可能である。
【００９８】
（１）前記第１ないし第３実施例では、配置領域の位置やサイズ等の情報を作業者によるマウスやキーボード等の入力操作に従って取り込んで、それらを再生画面のサイズに対する比率でもって換算し、その換算結果を画像要素についての情報として、スライドショーデータに格納するように構成されていたが、これに換えて、配置領域の位置やサイズ等の情報を再生画面のサイズに対する比率でもって定めたテンプレートを予めメモリに用意しておいて、このメモリの内容を読み込むことで、配置領域の位置とサイズを前記コマ画像のサイズに対する比率でもってそれぞれ示す第１の情報を設定するようにしてもよい。
【００９９】
（２）前記第１実施例では、スライドショーデータＳＤに備えられる各画像要素情報ＰＤは、「開始時刻」、「表示時間」、「位置」、「サイズ」、「画像要素の内容」、「配置の態様」の６つのデータフィールドＤＦ１〜ＤＦ６により構成されていたが、これに換えて、「配置の態様」のデータフィールドＤＦ６を除いた上記５つのデータフィールドＤＦ１〜ＤＦ５により構成してもよい。この構成によれば、配置領域内への画像要素の配置の態様については再生側によって定まることになる。また、「開始時刻」、「表示時間」のデータフィールドＤＦ１、ＤＦ２を除いて、「位置」、「サイズ」、「画像要素の内容」のデータフィールドＤＦ３，ＤＦ４，ＤＦ５だけから画像要素情報ＰＤを構成してもよい。この構成によれば、静止画を表示時間を指定せず表示することになる。さらには、スライドショーデータＳＤに備えられる各画像要素情報ＰＤは、上記データフィールドＤＦ１〜ＤＦ６だけではなく、画像要素の「回転」や「変形」、モノトーン化、セピア化、半透明化などの「エフェクト処理（画像処理）」等の情報を有する構成としてもよい。さらに、スライドショーデータＳＤは、１または複数の画像要素情報ＰＤだけでなく、画面領域の背景等のその他の情報を備える構成としてもよい。
【０１００】
（３）前記第１ないし第３実施例では、配置領域として矩形の領域を設定したが、必ずしも矩形の領域に限る必要もなく、円形、三角形や六角形や星形などの領域に換えることができる。注目エリアについても、必ずしも矩形の領域に限る必要もなく、円形、三角形や六角形や星形などの領域に換えることができる。
【０１０１】
（４）前記第１ないし第３実施例では、「開始時刻」と「表示時間」とを設定していたが、これに換えて、「開始時刻」と「終了時刻」を設定する構成としてもよい。
【０１０２】
（５）前記第２、第３実施例では、開始点ｕと終了点ｖの２点に関する位置やサイズを設定していたが、これに換えて、開始点、中間点、終了点といった３点に関する位置やサイズを設定する構成としてもよい。この構成によれば、移動方向を移動の途中で変更したり、拡大／縮小のズーム比をズームの途中で変更したりすることができる。なお、開始点、中間点、終了点といった３点に限る必要もなく、より多くの点において位置やサイズを設定する構成としてもよい。
【図面の簡単な説明】
【０１０３】
【図１】本発明の第１実施例を適用するコンピュータシステムの概略構成を示す説明図である。
【図２】ＣＰＵにて実行されるスライドショーデータ作成処理を示すフローチャートである。
【図３】図２のステップＳ１３０で実行される演出設定の処理を詳細に示すフローチャートである。
【図４】配置領域設定用のダイアログボックスＤＢ１の一例を示す説明図である。
【図５】スライドショーデータＳＤのデータ構造を示す説明図である。
【図６】スライドショー再生用のダイアログボックスＤＢ２を示す説明図である。
【図７】スライドショーデータをワイド横（１６：９）の画面サイズで表示したときに再生画像がどのように変化するかを示す説明図である。
【図８】スライドショーデータをワイド縦（９：１６）の画面サイズで表示したときに再生画像がどのように変化するかを示す説明図である。
【図９】注目エリア指定用のダイアログボックスＤＢ３の一例を示す説明図である。
【図１０】第１実施例の変形例で作成されるスライドショーデータをワイド横（１６：９）のディスプレイに表示した結果を示す説明図である。
【図１１】第２実施例におけるスライドショーの演出内容を説明するための説明図である。
【図１２】第２実施例において作成されるスライドショーデータＳＤＸのデータ構造を示す説明図である。
【図１３】スライドショーデータＳＤＸを異なる種類の画面サイズで表示したときの再生画像の変化を示す説明図である。
【図１４】第３実施例におけるスライドショーの演出内容を説明するための説明図である。
【図１５】第３実施例において作成されるスライドショーデータＳＤＹのデータ構造を示す説明図である。
【図１６】スライドショーデータＳＤＹをワイド横の画面サイズで表示したときの再生画像の変化を示す説明図である。
【符号の説明】
【０１０４】
１０…パーソナルコンピュータ
１１…ＣＰＵ
１２…バス
１３…メモリ
１４…ハードディスクドライブ
１５…表示制御ユニット
１６…入力制御ユニット
１７…ディスク制御ユニット
２０…ディスプレイ
２２…キーボード
２４…マウス
ＳＤ…スライドショーデータ
ＰＤ…画像要素情報
ＤＦ１…「開始時刻」のデータフィールド
ＤＦ２…「表示時間」のデータフィールド
ＤＦ３…「位置」のデータフィールド
ＤＦ４…「サイズ」のデータフィールド
ＤＦ５…「画像要素の内容」のデータフィールド
ＤＦ６…「配置の態様」のデータフィールド
ＤＦ１１…「終了点の位置」のデータフィールド
ＤＦ２１…「（終了点における）サイズ」のデータフィールド
【図１】
2009086948.tif 000003
【図２】
2009086948.tif 000004
【図３】
2009086948.tif 000005
【図４】
2009086948.tif 000006
【図５】
2009086948.tif 000007
【図６】
2009086948.tif 000008
【図７】
2009086948.tif 000009
【図８】
2009086948.tif 000010
【図９】
2009086948.tif 000011
【図１０】
2009086948.tif 000012
【図１１】
2009086948.tif 000013
【図１２】
2009086948.tif 000014
【図１３】
2009086948.tif 000015
【図１４】
2009086948.tif 000016
【図１５】
2009086948.tif 000017
【図１６】
2009086948.tif 000018